(57)【要約】【課題】操作部や各Ｉ／Ｆの制御線が物理的に長くなるのを防止すると共に、その処理効率を向上させたデジタル複合機を提供すること。【解決手段】操作部１３および各種Ｉ／Ｆを制御するＡＳＩＣ１０を操作パネル１の筐体内に設置し、ＡＳＩＣ１０と本体コントローラ２とをＰＣＩバスで接続し、また、ＡＳＩＣ１０に、ＵＳＢコントローラとＳＤカードコントローラを設け、さらに、操作パネル１の筐体にＵＳＢコネクタ１１とＳＤカードスロット１２を設けた。【選択図】　　　図１
2004096496.tif 000002
【特許請求の範囲】
【請求項１】
コピー機能およびプリンタ機能を備えたデジタル複合機において、
操作部および各種Ｉ／Ｆを制御するＡＳＩＣを操作パネルの筐体内に設置し、前記ＡＳＩＣと本体のコントローラとをＰＣＩバスで接続したことを特徴とするデジタル複合機。
【請求項２】
前記操作パネルの筐体内に設置されるＡＳＩＣにＵＳＢコントローラを搭載し、前記操作パネルの筐体にＵＳＢコネクタを設け、ＵＳＢデバイスとデータ通信可能に構成したことを特徴とする請求項１に記載のデジタル複合機。
【請求項３】
前記操作パネルの筐体内に設置されるＡＳＩＣにＳＤカードコントローラを搭載し、前記操作パネルの筐体にＳＤカードスロットを設け、ＳＤカードに対してアクセス可能に構成したことを特徴とする請求項１または請求項２に記載のデジタル複合機。
【発明の詳細な説明】
【０００１】
【発明の属する技術分野】
本発明は、デジタル複合機に関し、詳細には、操作パネルに独立したＡＳＩＣを搭載したコピー機能およびプリンタ機能を備えたデジタル複合機に関する。
【０００２】
【従来の技術】
従来、コピー・プリンタ機能を持つデジタル複合機においては、装置本体に設けられたコントローラが操作部や各Ｉ／Ｆの制御を行っていたため、操作部や各Ｉ／Ｆの制御線が物理的に長くなり、その配線のレイアウトが難しく、また、その処理効率が悪いという問題がある。
【０００３】
また、デジタル複合機においては、そのプリンタ機能を使用する場合には、ネットワーク上のＰＣを介してのみ使用が可能であった。そのため、従来のデジタル複合機では、記録媒体に格納されているデータをプリントアウトしたり、直接、ノートＰＣを接続してデータをプリントアウトすることができないという問題がある。
【０００４】
【発明が解決しようとする課題】
本発明は、上記課題に鑑みてなされたものであり、操作部や各Ｉ／Ｆの制御線が物理的に長くなるのを防止すると共に、その処理効率を向上させたデジタル複合機を提供することを目的とする。
【０００５】
また、本発明は、上記課題に鑑みてなされたものであり、ＵＳＢデバイスから直接データをプリントアウトすることが可能なデジタル複合機を提供する提供することを目的とする。
【０００６】
また、本発明は、上記課題に鑑みてなされたものであり、ＳＤカードから直接、データをプリントアウトすることが可能なデジタル複合機を提供することを目的とする。
【０００７】
【課題を解決するための手段】
上記課題を解決するために、請求項１にかかるデジタル複合機は、コピー機能およびプリンタ機能を備えたデジタル複合機において、操作部および各種Ｉ／Ｆを制御するＡＳＩＣを操作パネルの筐体内に設置し、前記ＡＳＩＣと本体のコントローラとをＰＣＩバスで接続したことを特徴とする。
【０００８】
上記発明によれば、操作部および各種Ｉ／Ｆを制御するＡＳＩＣを操作パネルの筐体内に設置し、ＡＳＩＣと本体のコントローラとをＰＣＩバスで接続する。
【０００９】
また、請求項２にかかるデジタル複合機は、請求項１にかかる発明において、前記操作パネルの筐体内に設置されるＡＳＩＣにＵＳＢコントローラを搭載し、前記操作パネルの筐体にＵＳＢコネクタを設け、ＵＳＢデバイスとデータ通信可能に構成したことを特徴とする。
【００１０】
上記発明によれば、操作パネルの筐体内に設置されるＡＳＩＣにＵＳＢコントローラを搭載し、前記操作パネルの筐体にＵＳＢコネクタを設け、ＵＳＢデバイスとデータ通信可能に構成する。
【００１１】
また、請求項３にかかるデジタル複合機は、請求項１または請求項２にかかる発明において、前記操作パネルの筐体内に設置されるＡＳＩＣにＳＤカードコントローラを搭載し、前記操作パネルの筐体にＳＤカードスロットを設け、ＳＤカードに対してアクセス可能に構成したことを特徴とする。
【００１２】
上記発明によれば、操作パネルの筐体内に設置されるＡＳＩＣにＳＤカードコントローラを搭載し、操作パネルの筐体にＳＤカードスロットを設け、ＳＤカードに対してアクセス可能に構成する。
【００１３】
【発明の実施の形態】
以下、図面を参照して、本発明にかかるデジタル複合機の好適な実施の形態を詳細に説明する。
【００１４】
図１は、本発明にかかるデジタル複合機の概略のハードウエア構成を示す図である。図２は、図１のデジタル複合機の操作パネルの外観構成を示す図である。
【００１５】
図１に示すデジタル複合機は、コピー機能およびプリンタ機能を備えている。図１において、１は操作パネル、２はデジタル複合機の全体を制御するための本体コントローラ、３は画像データを紙に印字するためのプリンタエンジンを示している。
【００１６】
操作パネル１には、その筐体内にＡＳＩＣ１０が設置されており、その筐体にＵＳＢコネクタ１１、ＳＤカードスロット１２、操作部１３が設置されている。ＡＳＩＣ１０には、ＵＳＢコントローラ、ＳＤカードコントローラ、操作部コントローラが内蔵されており、操作部１３や各Ｉ／Ｆの制御を行う。
【００１７】
本体コントローラ２には、デジタル複合機の全体を制御するＣＰＵ２１と、操作パネル１のＡＳＩＣ１０やプリンタエンジン３のＡＳＩＣ３０とデータ通信を行うためのＡＳＩＣ２０が搭載されている。
【００１８】
プリンタエンジン３には、プリンタエンジン３を制御するＡＳＩＣ３０が搭載されている。
【００１９】
本体コントローラ２と操作パネル１間および本体コントローラ２とプリンタエンジン３間はＰＣＩバスで接続されている。操作パネル１に搭載されたＡＳＩＣ１０と、プリンタエンジン３に搭載されたＡＳＩＣ３０は、ＰＣＩの１デバイスとして認識され、本体コントローラ２上のＡＳＩＣ２０とＰＣＩ規格に従ってＰＣＩバスを介して制御データや画像データの送受信を行う。
【００２０】
図２は、図１のデジタル複合機の操作パネル１の外観（筐体）構成を示す図である。同図において、１１はＵＳＢコネクタ、１２はＳＤカードスロット、１３は操作部を示している。操作部１３は、キー入力部１５と液晶タッチパネル表示部１６とを備えている。キー入力部１５は、コピー枚数などの各種設定の入力に使われる操作キー（ハードキー）を備えている。同図において、１５ａはコピー動作の開始指示を与えるためのスタートキー、１５ｂはコピー動作の中止指示を与えるためのストップキー、１５ｃは数字等を入力するためのテンキー、１５ｄは決定キーを示している。液晶タッチパネル表示部１６は、各種メッセージ（例えば、”コピーができます”や”コピー枚数”等）や機能キー（ソフトキー）が表示されるとともに、その機能キーを操作して各種設定を行うためのものである。
【００２１】
ＳＤカードスロット１２にＳＤカードが挿入されると、ＡＳＩＣ１０で検知され、ＡＳＩＣ１０はＳＤカード内のファイルリストをリードして、操作部１３の液晶タッチパネル部１６にファイルリストを表示する。液晶タッチパネル部１６に表示されたファイルリスト（図２参照）の中から利用者がプリントアウトしたいデータを選択し、決定ボタン１５ｄを押下すると、ＡＳＩＣ１０は該当するデータをＳＤカードから読み出して、ＰＣＩバスを介して本体コントローラ２のＡＳＩＣ２０に送信する。ＡＳＩＣ２０はこのデータを受信すると、受信したデータをプリンタエンジン３のＡＳＩＣ３０に送信し、ＡＳＩＣ３０はこのデータを受信すると、プリンタエンジンにプリントアウトさせる。このように、ＳＤカードに記憶されたデータをプリントアウトすることができ、ＰＣを介することなくデータのプリントアウトが可能となる。また、ＳＤカードに記憶されているプログラムを本体にダウンロードして、プログラムを更新することも可能である。
【００２２】
また、ノートＰＣ（ＵＳＢデバイス）のＵＳＢケーブルをＵＳＢコネクタ１１に接続し、ノートＰＣからプリントアウトしたいデータを送信するとＡＳＩＣ１０で受信される。ＡＳＩＣ１０は、受信したデータを本体コントローラ２のＡＳＩＣ２０に送信する。ＡＳＩＣ２０はこのデータを受信すると、受信したデータをプリンタエンジン３のＡＳＩＣ３０に送信し、ＡＳＩＣ３０はこのデータを受信すると、プリンタエンジンにプリントアウトさせる。
【００２３】
本実施の形態のデジタル複合機を、オフィス、コンビニエンスストアや駅等に設置すると、利用者が気軽にＳＤカードやノートＰＣからデータをプリントアウトすることが可能となる。
【００２４】
以上説明したように、本実施の形態によれば、操作部１３および各種Ｉ／Ｆを制御するＡＳＩＣ１０を操作パネル１の筐体内に設置し、ＡＳＩＣ１０と本体コントローラ２とをＰＣＩバスで接続することとしたので、操作部１３や各Ｉ／Ｆの制御線が物理的に長くなることを防止でき、また、操作部１３や各Ｉ／Ｆの制御を本体コントローラ２に搭載された本体を制御するＡＳＩＣ２０とは別のＡＳＩＣ１０で行うこととしたので、操作部１３や各Ｉ／Ｆのその処理効率を向上させることが可能となる。
【００２５】
また、操作パネル１の筐体内に設置されるＡＳＩＣ１０にＵＳＢコントローラを搭載し、操作パネル１の筐体にＵＳＢコネクタ１１を設け、ＵＳＢデバイスとデータ通信可能に構成したので、ＵＳＢデバイスから直接データをプリントアウトすることが可能となる。
【００２６】
また、操作パネル１の筐体内に設置されるＡＳＩＣ１０にＳＤカードコントローラを搭載し、操作パネル１の筐体にＳＤカードスロット１２を設け、ＳＤカードに対してアクセス可能に構成したので、ＰＣ等を介さずに、直接ＳＤカードのデータをプリントアウトすることが可能となる。
【００２７】
なお、本発明は、上記した実施の形態に限定されるものではなく、発明の要旨を変更しない範囲で適宜変形可能である。
【００２８】
【発明の効果】
以上説明したように、請求項１にかかるデジタル複合機によれば、コピー機能およびプリンタ機能を備えたデジタル複合機において、操作部および各種Ｉ／Ｆを制御するＡＳＩＣを操作パネルの筐体内に設置し、前記ＡＳＩＣと本体のコントローラとをＰＣＩバスで接続したので、操作部や各Ｉ／Ｆの制御線が物理的に長くなるのを防止すると共に、その処理効率を向上させたデジタル複合機を提供することが可能となるという効果を奏する。
【００２９】
また、請求項２にかかるデジタル複合機によれば、請求項１にかかる発明において、前記操作パネルの筐体内に設置されるＡＳＩＣにＵＳＢコントローラを搭載し、前記操作パネルの筐体にＵＳＢコネクタを設け、ＵＳＢデバイスとデータ通信可能に構成したので、ＵＳＢデバイスから直接データをプリントアウトすることが可能なデジタル複合機を提供することが可能となるという効果を奏する。
【００３０】
また、請求項３にかかるデジタル複合機によれば、請求項１または請求項２にかかる発明において、前記操作パネルの筐体内に設置されるＡＳＩＣにＳＤカードコントローラを搭載し、前記操作パネルの筐体にＳＤカードスロットを設け、ＳＤカードに対してアクセス可能に構成したので、ＳＤカードから直接、データをプリントアウトすることが可能なデジタル複合機を提供することが可能となるという効果を奏する。
【図面の簡単な説明】
【図１】本発明にかかるデジタル複合機の概略のハードウエア構成を示す図である。
【図２】図１のデジタル複合機の操作パネルの外観構成を示す図である。
【符号の説明】
１　　操作パネル
２　　本体コントローラ
３　　プリンタエンジン
１０、２０、３０　ＡＳＩＣ
１１　ＵＳＢコネクタ
１２　ＳＤカードスロット
１３　操作部
１５　キー操作部
１６　液晶タッチパネル表示部
【図１】
2004096496.tif 000003
【図２】
2004096496.tif 000004